(57)【要約】  データケーブル６２が通る管状支持アーム５２に取り付けられたモニター１０のデータ接続具を取り囲むカバー組立品１００である。カバー組立品には管状支持アームの一部を取り巻くスリーブ１１０が含まれる。スリーブはスリーブと管状支持アームとの間にケーブルを通す通路を形成する。管状支持アームは第２の端部で遮蔽物２１０に連結する。遮蔽物は開口が形成された円弧状外面を有する。開口はスリーブの一端を受け入れる寸法にされる。モニターに取り付けられた円弧状内面を有するカバーはモニターと共に移動可能である。カバーはその円弧状内面を遮蔽物の円弧状外面に対向させて遮蔽物を取り囲む。スリーブはカバーのスロットを通り、モニターは第１の軸Ｘの回りに回転可能であり、さらに第１の軸に垂直な第２の軸Ｙの回りに回転可能である。  【選択図】図１
2009519112.tif 000002
【特許請求の範囲】
【請求項１】
外科手術室で使用する機器であって、
天井支持構造物に連結した第１の端部と、第２の端部とを有し、前記第２の端部付近に開口が形成された管状支持アームと、
前記管状支持アームを取り巻き、前記開口を覆うスリーブであって、前記スリーブと前記開口に通じる前記管状支持アームとの間に通路を形成するスリーブと、
前記管状支持アームの前記第２の端部に連結され、前記スリーブの一端を受け入れる寸法の開口が形成された円弧状外面を有する遮蔽物と、
前記管状支持アームの前記第２の端部に取り付けられ、第１の軸の回りに回転可能で、かつ前記第１の軸に垂直な第２の軸の回りに回転可能な電気機器と、
前記管状支持アームを通り、前記管状支持アームの前記第２の端部付近の前記開口を通り、さらに前記スリーブの前記通路を通って延びる、前記電気機器の付属品であるデータケーブルと、
前記電気機器に取り付けられて共に移動可能な円弧状内面を有するカバーとを備え、
前記カバーは前記カバーの前記円弧状内面を前記遮蔽物の前記円弧状外面に対向させて前記遮蔽物を取り囲み、前記カバーの前記円弧状内面には前記スリーブを通す細長いスロットが形成され、前記遮蔽物および前記カバーは互いに対して移動可能であり、前記遮蔽物および前記カバーには前記データケーブルと前記電気機器への接続具とを収容する空洞が形成された
ことを特徴とする機器。
【請求項２】
前記スリーブには、前記スリーブと前記管状支持アームとの間に内部空洞を形成する拡大領域が含まれることを特徴とする請求項１に記載の機器。
【請求項３】
前記スリーブは第１のスリーブ部と第２のスリーブ部とで構成されることを特徴とする請求項２に記載の機器。
【請求項４】
前記電気機器に取り付ける取付けブラケットをさらに備えることを特徴とする請求項１に記載の機器。
【請求項５】
前記遮蔽物は前記カバーおよび前記取付けブラケットに対して前記第１の軸の回りに回転可能となるように前記取付けブラケットに回転可能に取り付けられたたことを特徴とする請求項４に記載の機器。
【請求項６】
前記カバーは前記取付けブラケットに取り付けられ、共に前記支持アームに対して移動可能であることを特徴とする請求項５に記載の機器。
【請求項７】
前記遮蔽物および前記カバーは前記支持アームに対して前記第２の軸の回りに共に回転可能であることを特徴とする請求項６に記載の機器。
【請求項８】
前記電気機器はビデオモニターであることを特徴とする請求項１に記載の機器。
【請求項９】
前記電気機器は前記支持アームに対し第１の位置と第２の位置との間で移動可能であることを特徴とする請求項８に記載の機器。
【請求項１０】
データケーブルが通る管状支持アームに取り付けられたモニター上のデータ接続具を取り囲むカバー組立品であって、
前記データケーブルが前記支持アームから出る箇所で前記管状支持アームを取り巻き、前記データケーブルを覆うスリーブであって、前記スリーブと前記管状支持アームとの間に前記ケーブルの一部が通る通路を形成するスリーブと、
前記管状支持アームの前記第２の端部に結合され、前記スリーブの一端を受け入れる寸法の開口が形成された円弧状外面を有する遮蔽物と、
前記モニターに取り付けられて共に移動可能な円弧状内面を有するカバーとを備え、
前記カバーは前記カバーの前記円弧状内面を前記遮蔽物の前記円弧状外面に対向させて前記遮蔽物を取り囲み、前記カバーの前記円弧状内面には前記スリーブを通す細長いスロットが形成され、前記モニターは第１の軸の回りに回転可能であり、さらに前記第１の軸に垂直な第２の軸の回りに回転可能であり、前記データケーブルと前記モニターとの間の前記データ接続具は前記遮蔽物と前記カバーによって形成された空洞内に収容される  
ことを特徴とするカバー組立品。
【請求項１１】
前記スリーブには、前記スリーブと前記管状支持アームとの間に内部空洞を形成する拡大領域が含まれることを特徴とする請求項１０に記載のカバー組立品。
【請求項１２】
前記スリーブは第１のスリーブ部と第２のスリーブ部とで構成されることを特徴とする請求項１１に記載のカバー組立品。
【請求項１３】
前記電気機器に取り付ける取付けブラケットをさらに備えることを特徴とする請求項１０に記載のカバー組立品。
【請求項１４】
前記遮蔽物は前記カバーおよび前記取付けブラケットに対して前記第１の軸の回りに回転可能となるように前記取付けブラケットに回転可能に取り付けられたことを特徴とする請求項１３に記載のカバー組立品。
【請求項１５】
前記カバーは前記取付けブラケットに取り付けられ、共に前記支持アームに対して移動可能であることを特徴とする請求項１４に記載のカバー組立品。
【請求項１６】
前記遮蔽物および前記カバーは前記第２の軸の回りに共に回転可能であることを特徴とする請求項１５に記載のカバー組立品。
【発明の詳細な説明】
【技術分野】
【０００１】
本発明は一般に外科手術室で使用する天井据付けシステムに関し、特に、天井据付け支持アームから吊るした電気機器に取り付け、電気機器への電気接続具を取り囲むカバー組立品に関する。本発明は特に、外科手術室で使用するビデオモニターのカバー組立品に適用されるので、特にそれに関して記載する。しかし、本発明のカバー組立品はビデオカメラ、外科照明器具、制御盤などの外科手術室で使用する他の機器に適用しても効果が見出される。
【背景技術】
【０００２】
ビデオモニターは身体の状態に関する情報を表示したり、医療処置の間に、たとえば、内視鏡カメラなどのカメラで撮った画像を表示したりするため手術室で使用される。このようなモニターは一般的に天井から吊るした管状支持アームに取り付けられる。アメリカ特許の特許文献１および２には手術室で使用する天井に据え付けた照明システムおよびモニターシステムの例が示される。
【０００３】
データ移動ケーブルおよび配線は管状支持アーム内を通してモニターに接続される。これらのデータケーブルおよび配線はモニターの近くでアームから出てモニター裏側の接続具に接続される。露出したデータ配線およびケーブル、すなわち、管状支持アームから出た外側のデータ配線およびケーブルの部分はモニターの関節接合を可能にするため十分に長くする必要がある。この点に関し、モニターが横長位置（風景画位置）と縦長位置（肖像画位置）の間で回転できるように、また情報および画像が異なる方法で表示できるようにモニターを支持アームに取り付けるのが望ましい。さらに、外科スタッフがモニターを見る方向を最適にするためモニターは前後に傾けられるようにするのが望ましい。露出した配線および電気接続具の問題点の１つは医療処置の終了後にそれぞれのケーブルおよび配線を滅菌、消毒または清浄化することが困難であることである。
【特許文献１】US 6,817,585
【特許文献２】US 6,743,046
【発明の開示】
【発明が解決しようとする課題】
【０００４】
本発明は支持アームで吊るしたビデオモニター裏側の電気接続具を取り囲むとともに、支持アームに対する電気機器の関節運動を可能にするカバーを提供する。
【課題を解決するための手段】
【０００５】
本発明の好ましい実施形態によると、第１の端部と第２の端部を有する管状支持アームを備えた外科手術室で使用する機器を提供する。第１の端部は天井支持構造物に連結される。管状支持アームの第２の端部付近に開口が形成される。スリーブで管状支持アームを取り巻きこの開口を覆う。スリーブと開口部分の管状支持アームとの間に通路が形成される。管状支持アームの第２の端部には遮蔽物が連結される。遮蔽物は開口が形成された円弧状外面を備える。遮蔽物の開口はスリーブの一端を受け入れる寸法にされる。支持アームの第２の端部には電気機器が取り付けられる。電気機器は第１の軸の回りに回転可能であり、さらに第１の軸に垂直な第２の軸の回りに回転可能である。データケーブルが管状支持アーム内を通って延びる。ケーブルは管状支持アームの第２の端部付近の開口から出て、スリーブ内の通路を通過し、電気機器に取り付けられる。円弧状内面を有するカバーが電気機器に取り付けられ共に移動可能となる。カバーはその円弧状内面を遮蔽物の円弧状外面に対向させて遮蔽物を取り囲む。カバーの円弧状内面には細長いスロットが形成される。スリーブはスロットを通って延びる。遮蔽物およびカバーは互いに対して移動可能であり、遮蔽物およびカバーはデータケーブルと電気機器への接続具とを収容する空洞を形成する。
【０００６】
本発明の別の実施形態によると、データケーブルが通る管状支持アームに取り付けられたモニターのデータケーブル接続具を取り囲むカバー組立品を提供する。カバー組立品には、ケーブルが管状支持アームから出る箇所で管状支持アームを取り巻きデータケーブルを覆うスリーブが含まれる。スリーブはスリーブと管状支持アームとの間にケーブルの一部が通る通路を形成する。管状支持アームの第２の端部に遮蔽物を連結する。遮蔽物は開口が形成された円弧状外面を備える。開口はスリーブの一端を受け入れる寸法にされる。円弧状内面を有するカバーが共に移動可能なモニターに取り付けられる。カバーはその円弧状内面を遮蔽物の円弧状外面に対向させて遮蔽物を取り囲む。カバーの円弧状内面には細長いスロットが形成される。スリーブはスロットを通り延びる。モニターは第１の軸の回りに回転可能であり、さらに第１の軸に垂直な第２の軸の回りに回転可能である。データケーブルとモニターとの間の接続具は遮蔽物とカバーで形成された空洞内に収容される。
【発明の効果】
【０００７】
本発明の利点は支持アームに取り付けられた電気機器への電気接続具を覆うカバー組立品を提供することにある。
本発明の別の利点は外科手術室に使用する天井据付け電気機器への電気接続具を覆う前述のカバー組立品にある。
【０００８】
本発明の別の利点は外科手術室に使用する天井据付けモニターへの電気接続具を覆う前述のカバー組立品にある。
本発明の別の利点は支持アームに対し電気機器の関節運動が可能な前述のカバー組立品にある。
【０００９】
本発明の別の利点は清浄化の容易な前述のカバー組立品にある。
本発明のさらに別の利点は電気機器の運動の間にケーブルのねじれやカールを避けるため個々のケーブルを取り付ける取付け手段を含む前述のカバー組立品にある。
【００１０】
これらの利点は図面および特許請求の範囲とともに以下に記載する実施形態から明白になる。
【発明を実施するための最良の形態】
【００１１】
図面を参照するに際して、図面は発明の好ましい実施形態を示すためであり、これに限定するものではないことに留意されたい。図１は手術室で使用するビデオモニターおよび本発明の好ましい実施形態を示すカバー組立品１００を示す。図３でよく分かるように、モニター１０（裏面を図示）の裏面パネル１２には１列になったデータポートまたは接続部１４が含まれる。モニター１０には一対のハンドルアーム２２Ａ，２２Ｂが取り付けられる。図示する実施形態では、図３でよく分かるように、ハンドルアーム２２Ａ，２２Ｂはモニター１０に取り付けられた薄い平棒である。ハンドルアーム２２Ａ，２２Ｂはモニター１０からそれぞれ反対方向に延びる。ハンドルアーム２２Ａ，２２Ｂの自由端にはハンドル２４が設けられる。
【００１２】
モニター１０には、その裏側に堅い取付け板３２が固定される。図３でよく分かるように、取付け板３２にはヒンジブラケット４２が取り付けられ、ヒンジブラケット４２は取付け板３２に対して第１の軸Ｘの回りに回転可能となる。一般にＵ型をしたヒンジブラケット４２は一般に基部４２ａと基部４２ａから延びて間隔を保つ一対の側部４２ｂとから構成される。図３に示すように、基部４２ａの一方側にアーム４２ｃが突出する。アーム４２ｃに当接させてヒンジブラケット４２の回転角度を約９０度に制限するため、取付け板３２にはストッパー４４が取り付けられる。
【００１３】
図１および２でよく分かるように、ヒンジブラケット４２には支持アーム５２が取り付けられる。図示する実施形態では、支持アーム５２は特許文献１おび２に記載された型の天井据付けシステム（図示しない）の一部であり、これらの特許文献の開示内容は参考のため本出願に特に組み込まれる。支持アーム５２は管状をなし、データ搬送ケーブルおよび配線（以下「データケーブル６２」という）が配置される内部通路５４を形成する。ここで使用するように、用語「データケーブル６２」は銅および金属のケーブルおよび配線と、データをアナログまたはデジタルの電気または光形態で搬送できる光ファイバーケーブルおよびファイバーとを意味する。
【００１４】
支持アーム５２は管状をなし、直線部５２ａが含まれる。支持アーム５２は天井据付け装置（図示しない）のハブに連結される第１の端部５６と、第２の自由端部５８を有する。図４でよく分かるように、支持アーム５２の第２の端部５８には取付けピン７２が含まれる。取付けピン７２は支持アーム５２の第２の端部５８に固定され、そこから管状支持アーム５２の直線部５２ａの第２の軸Ｙに沿って延びる。図示する実施形態では、図３および４でよく分かるように、軸Ｙは軸Ｘに垂直である。取付けピン７２はヒンジブラケット４２の側部４２ｂの穴を通って延びる。ヒンジブラケット４２（およびそこに取り付けられたモニター１０）は取付けピン７２の軸Ｙの回りに回転可能である。取付けブラケット４２の各側部４２ｂの両側において取付けピン７２に摩擦板７４が設けられ、モニター１０が従来知られた方法でいずれの所望の位置に対しても移動可能でかつ位置決め可能である。
【００１５】
図３および９でよく分かるように、細長いスロットまたは開口８２が管状アーム５２に形成される。図３に示すように、データケーブル６２は細長いスロットまたは開口８２を通って管状支持アーム５２内の通路５４から出て、モニター１０のデータ接続具およびポート１４に接続可能になる。図９に示すように、データケーブル６２が管状支持アーム５２から出る箇所にケーブル接続部９２が設けられる場合がときどきある。
【００１６】
カバー組立品１００は基本的にスリーブ１１０と遮蔽物２１０とカバー３１０とから構成される。スリーブ１１０は支持アーム５２に取り付けられ、細長いスロットまたは開口８２とそこから延びるデータケーブル６２とを取り巻くために設けられる。図９および１３でよく分かるように、スリーブ１１０には、管状支持アーム５２に取り付け可能な第１のスリーブ部１１２と、第１のスリーブ部１１２に取り付け可能な第２のスリーブ部１５２とが含まれる。第１のスリーブ部１１２は半円筒状の主本体部１１２ａを有する。図３でよく分かるように、第１のスリーブ部１１２の本体部１１２ａには外方向に延びる突起または瘤部１１２ｂが形成される。図９でよく分かるように、突起または瘤部１１２ｂには内部空洞１１４が形成される。第１のスリーブ部１１２は内方向に延びるフランジ１２４で第１の端部を形成する。フランジ１２４の内側縁は管状支持アーム５２の外面に係合当接する寸法の円弧状になっている。図７でよく分かるように、第１のスリーブ部１１２の本体部１１２ａ内面に沿って壁部１３２が形成される。壁部１３２はフランジ１２４から間隔をあけ、その内縁の形状は一般に管状支持アーム５２の外面に一致する。図７および１０でよく分かるように、壁部１３２の端部に２つの外柱またはボス１３４が一体に形成される。柱１３４間の壁部１３２に中間柱１３６が形成される。図９および１０でよく分かるように、中間柱１３６には貫通する穴１３６ａがあけられる。以下に詳述するように、穴１３６ａは第１のスリーブ部１１２を管状支持アーム５２に締め付ける留め具１３８が入る寸法になっている。図示する実施形態では、留め具１３８は細長いスロット８２の一端付近の管状支持アーム５２に形成されたねじ穴内に延びるキャップねじである。外柱１３４は壁部１３２の先端に配置される。図１０および１３でよく分かるように、これらの外柱１３４は第１のスリーブ部１１２の縁からわずかに突出する。第１のスリーブ部１１２の第２の端部付近に一対の追加の取付け柱１４２が設けられる。図１２および１３でよく分かるように、外柱１３４と同様、追加の取付け柱１４２も第１のスリーブ部１１２の縁からわずかに突出する。
【００１７】
第２のスリーブ部１５２は第１のスリーブ部１１２と位置合わせされる寸法になっている。この点に関し、図示する実施形態では、第２のスリーブ部１５２は半円筒形状の本体部１５２ａを有する。第２のスリーブ部１５２の本体部１５２ａの一端には内側に延びるフランジ１５４が形成される。フランジ１５４の内縁１５４ａは管状支持アーム５２の外面に当接して一致する寸法になっている。図７でよく分かるように、第２のスリーブ部１５２の内面に沿って補強壁１５６が形成される。補強壁１５６の内縁１５６ａは管状支持アーム５２の外面の形状に一致する寸法になっている。図１１でよく分かるように、補強壁１５６の先端は第２のスリーブ部１５２の縁からわずかに突出する。図１３でよく分かるように、第２のスリーブ部１５２は分離した複数のレセスまたはスペース１５８を含むように形成される。レセス１５８は一般に円筒形状をなし、第２のスリーブ部１５２を第１のスリーブ部１１２に取り付ける留め具が入る寸法になっている。この点に関し、第２のスリーブ部１５２のレセス１５８は第１のスリーブ部１１２の取付け柱１３４，１４２にそろうように配置される。第２のスリーブ部１５２の内面に間隔保持要素１６２が形成される。図１２に示すように、間隔保持要素１６２は管状支持アーム５２の外面に当接し、支持アーム５２に対してスリーブ部１５２の本体部１５２ａを位置決めする寸法になっている。
【００１８】
次に図５および７を参照すると、遮蔽物２１０がよく分かる。モニター１０が軸Ｘの回りに対して移動しても遮蔽物２１０が管状支持アーム５２に対して動かない静止位置を保つように、遮蔽物２１０はモニター１０に取り付けられて支持アーム５２に連結されるよう構成される。図５および７でよく分かるように、遮蔽物２１０は取付けブラケット１７２に取り付けられる。取付けブラケット１７２には、平坦な基部１７４と、基部１７４から延びる側部１７６と、側部１７６に取り付けられた窓状またはクモの巣状のフェース部１７８とが含まれる。取付けブラケット１７２は堅い材料で一体に形成されるのが好ましい。基部１７４には複数の穴１８２があけられる。穴１８２は、取付けブラケット１７２の基部１７４をモニター１０の取付け板３２に締め付ける通常の留め具１８４が入る寸法になっている。穴１８２の１つに、その上に取り付けられた前述のストッパー４４付の留め具１８４が入る。その詳細は後で述べる。
【００１９】
取付けブラケット１７２の側部１７６は基部１７４から延びる帯板である。図５でよく分かるように、側部１７６には複数の穴１９４があけら角度の付いたタブ１９２が含まれる。取付けブラケット１７２のフェース部１７８は窓枠状配置を有する平板構造である。フェース部１７８には取付けブラケット１７２の全重量を軽減するために開口１７８ａが形成される。一般に取付けブラケット１７２の平坦なフェース部１７８の中心に穴１９６があけられる。図７でよく分かるように、取付けブラケット１７２の平坦なフェース部１７８の周囲に沿って別の２つのねじ穴１９８が配置される。
【００２０】
図７でよく分かるように、遮蔽物２１０は一般にフェース部２１２と側壁部２１４とでカップ状構造を構成する。側壁部２１４は一般に円筒状をなし、図７でＡを付した中心軸の周りの円弧に沿って延びる。側壁部２１４の円弧が構成する角度は約２００度にわたる。側壁部２１４は一般に軸Ａの回りに対称となる円筒外面を形成する。遮蔽物２１０の側壁部２１４には円形穴２２２が形成される。穴２２２は、そこにスリーブ１１０の一端が入るように、スリーブ１１０の外径よりもわずかに大きい寸法になっている。遮蔽物２１０の自由縁方向となる穴２２２の一方側にはスペースまたは隙間２２４が設けられる。後で詳述するように、隙間２２４は支持アーム５２への遮蔽物２１０の取り付けが容易になる寸法になっている。
【００２１】
遮蔽物２１０は取付けブラケット１７２に取り付けられる寸法になっている。図示するように、遮蔽物２１０は取付けブラケット１７２の平坦なフェース部１７８とモニター１０の取付け板３２との間に配置される。遮蔽物２１０は、ボルト２３４で構成される通常の留め具２３２で取付けブラケット１７２のフェース部１７８に取り付けられる。ボルト２３４は取付けブラケット１７２のフェース部１７８の中心穴１９６を通り、さらに遮蔽物２１０のフェース部２１２の穴２２８を通って延びる。遮蔽物２１０のフェース部２１２の穴２２８は軸Ａに沿って配置される。図７に示すように、遮蔽物２１０のフェース部２１２の一方側には堅い裏板２４２および中間摩擦円板２４４が取り付けられる。遮蔽物２１０は、取付けブラケット１７２およびモニター１０に対してボルト２３４の軸Ａの回りの遮蔽物２１０の回転が制限されるように取付けブラケット１７２に取り付けられる。この点に関し、ボルト２３４の軸Ａはヒンジブラケット４２の軸Ｘと共軸となる。遮蔽物２１０の側壁部２１４の長さは、モニター１０に対して遮蔽物２１０を移動させるため側壁部２１４の自由縁または自由端がモニター１０にかみ合わないような寸法になっている。
【００２２】
次に図８を参照すると、カバー３１０がよく分かる。カバー３１０は一般に平坦な裏壁３１２とその周囲に沿って裏壁３１２の一方側に延びる側壁３１４とから構成される。側壁３１４の自由縁３１４ａは、一般に遮蔽物２１０と取付けブラケット１７２とモニター１０に接続されたデータケーブル６２とを収容する寸法の取り囲まれた内部チャンバーまたは空洞３２２を形成するためモニター１０の裏板１２に一致する寸法になっている。
【００２３】
カバー３１０の円筒部３３２は遮蔽物２１０を入れて取り囲むように構成される。カバー３１０の円筒部３３２の内面３３２ａは遮蔽物２１０の円筒側壁部２１４の外面２１４ａに密接に適合する寸法になっている。カバー３１０の円筒部３３２は一般に外方向に広がって、モニター１０のデータポート１４を取り囲んで覆う寸法になる矩形または台形領域３３４を形成する。
【００２４】
図８でよく分かるように、円筒部３３２の側壁３１４に細長いスロット３４２が形成される。スロット３４２は、カバー３１０がモニター１０に取り付けられたとき、遮蔽物２１０の穴２２２に位置がそろう寸法になっている。スロット３４２の幅は一般にスリーブ１１０の直径に等しくされ、そのためスリーブ１１０の一端をそこから延ばすことができる。離れた端部３５２ａ，３５４ａを有する細い２つの側壁パネル３５２、３５４を形成するため、スロット３４２には円筒側壁３１４を通る側方開口３４４を形成する。パネル３５２，３５４には穴３５６があけられる。
【００２５】
モニター１０の取付け板３２には円弧状支持部品３６２が取り付けられる。円弧状支持部品３６２は一般にカバー３１０の円筒部３３２の円弧形状に適合する円弧状フランジまたは出張り面３６４を有する。図４でよく分かるように、円弧状支持部品３６２には円弧状出張り面３６４の一方側に取り付けられたねじスリーブ３６６が含まれる。カバー３１０の端部３５２ａ，３５４ａ間に形成された隙間を跨いで円弧状帯金３７２が設けられる。円弧状帯金３７２にはハンドルアーム２２Ａを通す寸法の細長いスロット３７４があけられる。帯金３７２の両端には穴３７６があけられる。穴３７６は、帯金３７２およびパネル３５２，３５４を通して円弧状支持部品３６２の取付け柱３６６内に延びる通常の平ねじ３７８を受け入れる。この点に関し、帯金３７２はカバー３１０の円筒部３３２に形成された隙間を覆う。
【００２６】
図８でよく分かるように、カバー３１０の側壁３１４の矩形部３３４に切欠３８２が設けられる。切欠３８２は図３に示すようにハンドルアーム２２Ｂが通る寸法になっている。
【００２７】
カバー３１０には互いに反対側に離れた２つの穴３８４があけられる。穴３８４はカバーに配置され、取付けブラケット１７２のフェース部１７８のねじ穴１９８に位置がそろう。この点に関し、カバー３１０は、カバー３１０と取付けブラケット１７２のねじ穴１９８とを通して延びる通常の平ねじ３８６よってモニター１０に取り付けられる。
【００２８】
スリーブ１１０、遮蔽物２１０およびカバー３１０は射出成形可能な強くて弾力性のあるポリマー材料で作るのが好ましい。たとえば、限定はしないが、スリーブ１１０、遮蔽物２１０およびカバー３１０はＡＢＳ（アクリロニトリルブタジエンスチレン）、ポリアミド（ナイロン）、スチレン系ポリマーまたはＰＭＭＡ（ポリメチルメタアクリル）で作ることができる。好ましい実施形態ではスリーブ１１０、遮蔽物２１０およびカバー３１０はＡＢＳ（アクリロニトリルブタジエンスチレン）で作られる。遮蔽物２１０およびカバー３１０の厚さは約０．１２５インチ（３．１８ｍｍ）である。
【００２９】
次に組立品およびその使用に関して、カバー組立品１００をさらに述べる。前述したように、モニター１０は、一般にヒンジブラケット４２を貫通する取付けピン７２で支持アーム５２に取り付ける。図６に示すように、まず遮蔽物２１０を取付けブラケット１７２に取り付ける。この点に関し、裏板２４２および摩擦円板２４４を遮蔽物２１０のフェース部２１２の内側に対して配置する。取付けブラケット１７２のフェース部１７８を遮蔽物２１０のフェース部２１２に対向させて配置する。取付けブラケット１７２、摩擦円板２４４および裏板２４２の穴を貫通するボルト２３４およびナット２３６で各部品を共に締め付ける。遮蔽物２１０が取付けブラケット１７２に対して滑り運動できるようにナット２３６およびボルト２３４を締め付ける。円弧状支持部品３６２を通常の留め具によってモニター１０の取付け板３２に取り付ける。図４でよく分かるように、円弧状支持部品３６２は円弧状支持部品３６２およびハンドルアーム２２Ａを貫通する留め具を使用してハンドルアーム２２Ａ上に配置する。
【００３０】
留め具１８４を使用して取付けブラケット１７２を取付け板３２に取り付ける。図示する実施形態では、留め具１８４は六角形のソケットねじである。図５でよく分かるように、ソケットねじの１つがストッパー４４を構成する。モニター１０に取り付けられるデータケーブル６２を取付けブラケット１７２の側部１７６のタブ１９２に締め付ける。データケーブル６２を通常のケーブル結びバンド３９２を使用してタブ１９２に締め付け、取付けブラケット１７２に対して、さらにモニター１０裏面のデータポート１４に対してデータケーブル６２の位置を整理する。
【００３１】
次に、カバー３１０をモニター１０に取り付ける。このため、側壁３１４のスロット３４２が管状支持アーム５２にそろう位置までモニターを移動させ、支持アーム５２がカバー３１０の側壁３１４の開口３４４を通ってスロット３４２内に移動してきた状態で、カバー３１０を取付けブラケット１７２に位置決めする。穴３８４および裏壁３１２を貫通し取付けブラケット１７２のねじ穴１９８およびフェース部１７８まで延びる留め具を使用して、カバー３１０を取付けブラケット１７２に固定する。  
【００３２】
図３でよく分かるように、ハンドルアーム２２Ｂをカバー３１０の切欠３８２を通して延ばす。この点に関し、図８に示すように、ハンドルアーム２２Ａをモニター１０の裏板１２から外し、ハンドルアーム２２Ａを帯金３７２に通して滑らせることもできる。帯金３７２はカバー３１０の円筒部３３２のパネル３５２，３５４上に位置させる。ねじ３７８を帯金３７２の穴３７６とパネル３５２、３５４の穴３５６に貫通させる。ねじ３７８は円弧状支持部品３６２のねじスリーブ３６６に固定する。図４でよく分かるように、パネル３５２、３５４と帯金３７２をねじスリーブ３６６に締め付けたとき、円弧状支持部品３６２の円弧状出張り３６４とパネル３５２、３５４の内面との間にスペースまたは隙間ができるようなスリーブ３６６の寸法にする。このスペースまたは隙間は遮蔽物２１０の自由縁を滑らせるため遮蔽物２１０の側壁部２１４の自由縁を受け入れる寸法にする。前述のように、図示する実施形態では、帯金３７２はカバー３１０のパネル３５２，３５４上に配置させている。しかし、帯金３７２はカバー３１０の円筒部３３２と遮蔽物との間に配置させることも考えられる。言い換えれば、帯金３７２をパネル３５２，３５４の下に配置させる。
【００３３】
図４および９でよく分かるように、カバー３１０をモニター１０に取り付けたとき、円筒部３３２の側壁３１４の円筒内面は遮蔽物２１４の側壁部２１４の円筒外面に接する。図示するように、円形穴２２２および遮蔽物２１０はそれぞれスロット３４２およびカバー３１０に位置が合う。支持アーム５２の直線部５２ａはカバー３１０のスロット３４２を通り、さらに遮蔽物２１０の円形穴２２２を通って延びる。
【００３４】
遮蔽物２１０およびカバー３１０をモニター１０上に載置した状態で、スリーブ１１０を管状支持アーム５２に取り付ける。図９でよく分かるように、スリーブ１１０はその一端がカバー３１０のスロット３４２と遮蔽物２１０の穴２２２とを貫通できる寸法になっている。第１のスリーブ部１１２は瘤部１１２ｂが支持アーム５２の細長いスロット８２にそろって配置される寸法になっている。第１のスリーブ部１１２を位置決めするために、第１のスリーブ部１１２を支持アーム５２に対して載置する。フランジ１２４および内側の壁部１３２があるので、第１のスリーブ部１１２は支持アーム５２の円筒面に対して容易に位置決めでき、それに沿って滑らせることが可能となる。図９および１０でよく分かるように、第１のスリーブ部１１２を所定の位置に滑らせた後、留め具１３８を使用して第１のスリーブ部１１２を支持アーム５２に取り付ける。
【００３５】
図９に示すように、支持アーム５２と第１のスリーブ部１１２との間に通路３９８が形成される。支持アーム５２にはスペーサ６８が取り付けられる。図１２でよく分かるように、スペーサ６８によって第１のスリーブ部１１２と支持アーム５２との間隔が保たれるとともに、通路３９８がデータケーブル６２用の２つの分離チャンバーに分割される。
【００３６】
第１のスリーブ部１１２をセットした状態で、第２のスリーブ部１５２を支持アーム５２に対して位置決めする。フランジ１５４および補強壁１５６は支持アーム５２に対して第２のスリーブ部１５２の位置を決めるのに役に立つ。さらに、第１の本体部１１２ａの縁から突出する第１のスリーブ部１１２の柱１３４および１４２は基本的に第１のスリーブ部１１２の縁に関係して第２のスリーブ部１５２に位置が合い、かつ第２のスリーブ部１５２の縁を第１のスリーブ部１１２の縁に沿って滑らせることを可能にする。第２のスリーブ部１５２の縁が第１のスリーブ部１１２に係合すると、第２のスリーブ部１５２を支持アーム５２に沿って所定の位置まで滑らせる。この点に関し、第２のスリーブ部１５２が滑らせた後の所定の位置において、スペース１５８および第２のスリーブ部１５２は第１のスリーブ部１１２の柱１３６，１４２に位置が合うことになる。図１０に示すように、留め具１３９をスペース１５８に挿入して第２のスリーブ部１５２を第１のスリーブ部１１２に締め付ける。図示するように、遮蔽物２１０の円筒状側壁はカバー３１０の円筒部３３２内面にそって滑らせる寸法にする。カバー組立品１００をモニター１０に取り付けたとき、カバー３１０およびモニター１０は共に、遮蔽物２１０および支持アーム５２に対して移動可能となる。図１はモニター１０が横長方向になった第１の位置におけるカバー組立品を示す。図２はモニター１０が縦長方向になった第２の位置におけるカバー組立品を示す。図１および２に示すように、モニター１０およびカバー３１０はヒンジブラケット４２を通る軸Ｘの回りに移動可能である。カバー３１０には細長いスロット３４２があるので、カバー３１０は遮蔽物２１０上を支持アーム５２に対して滑らせることになる。ストッパー４４でヒンジブラケット４２の相対移動範囲が制限され、モニター１０の回転角度は約９０度に制限される。さらに詳細にいうと、図１および２に示すように、ヒンジブラケット４２のアーム４２ｃの運動はストッパー４４で制限されるので、モニター１０は基本的に横長方向と縦長方向の間でしか移動できない。
【００３７】
図５でよく分かるように、モニター１０が横長方向にあるとき、遮蔽物２１０の縁と取付けブラケット１７２の側部１７６との間に隙間またはスペースが形成される。側部１７６のタブ１９２に取り付けられたデータケーブル６２はこの隙間内に配置される。言い換えれば、モニター回転中に遮蔽物２１０がデータケーブル６２と干渉しないようになっている。モニター１０を縦長方向に回転させると、遮蔽物２１０と取付けブラケット１７２の側部１７６とのスペースまたは隙間は基本的に広がる。
【００３８】
このように本発明は電気機器へのデータケーブル６２および接続ポート１４を取り囲む支持装着された電気機器のカバー組立品１００を提供する。カバー組立品は支持アームに対して２つの軸に沿った電気機器の回転を許容する。カバー組立品１００は電気機器へのデータケーブルを取り囲み、それによって外科手術室での手術後に行う清浄化が容易となる表面が備わる。さらにまた、このカバー組立品によってモニター配線ケーブルと支持アーム内にある自在ケーブル束との接続が容易になる。
【００３９】
以上の記載は本発明の特別の実施形態についてである。この実施形態は説明のためにのみ記載したものであり、当分野の専門家は本発明の精神や範囲から逸脱することなく多くの変更や修正を行うことが可能である。このような変更や修正は特許請求の範囲に記載されたもの、またはそれと均等なものである限り本発明に属するものである。
【図面の簡単な説明】
【００４０】
本発明はある部品とその部品の配置において具体的な形態をとり、この好ましい実施形態は明細書で詳細に記載され、明細書の一部をなす付随する図面に示される。
【図１】支持アームに支持されたビデオモニターの裏面で使用される本発明によるカバー組立品の斜視図であって、ビデオモニターが横長方向にある第１の位置のカバー組立品を示す。
【図２】図１に示すカバー組立品の斜視図であって、ビデオモニターが縦長方向にある第２の位置のカバー組立品を示す。
【図３】図１の線３−３に沿って切断した断面図である。
【図４】図３の線４−４に沿って切断した断面図である。
【図５】図１に示すカバー組立品の斜視図であって、カバーを取り除いたカバー組立品を示す。
【図６】図１に示すカバー組立品の遮蔽物および取付けブラケットの図である。
【図７】図６に示す取付けブラケットおよび遮蔽物と、遮蔽物に結合したスリーブをともに示す分解図である。
【図８】図１に示すカバー組立品のカバーおよび付属部品の斜視図である。
【図９】支持アームの部分およびそれに取り付けられたスリーブの断面図である。
【図１０】図９の線１０−１０に沿った断面図である。
【図１１】図９の線１１−１１に沿った断面図である。
【図１２】図９の線１２−１２に沿った断面図である。
【図１３】カバー組立品の遮蔽物およびカバーに対するスリーブの結合方法を示すスリーブの正面図である。
【図１】
2009519112.tif 000003
【図２】
2009519112.tif 000004
【図３】
2009519112.tif 000005
【図４】
2009519112.tif 000006
【図５】
2009519112.tif 000007
【図６】
2009519112.tif 000008
【図７】
2009519112.tif 000009
【図８】
2009519112.tif 000010
【図９】
2009519112.tif 000011
【図１０】
2009519112.tif 000012
【図１１】
2009519112.tif 000013
【図１２】
2009519112.tif 000014
【図１３】
2009519112.tif 000015
【国際調査報告】
2009519112.tif 000016